(57)【要約】      （修正有）【課題】二つのスライドレールを同時に移動させ、いずれか一つのスライドレールが同時に所定位置まで移動した時、そのスライドレールが一時的にその位置で停止するスライドレールキットを提供する。【解決手段】第二レール２４及び第三レール２６は第一レール２２に対してスライドする。第一レール２２は案内部７８を有し、第三レール２６は鈎部を有する。作動部材１００は可動するように第二レール２４に連結し、接触部１１０を有する。第三レール２６が第二レール２４に対応して引き出される時、作動部材の接触部１１０は第三レールの鈎部によって引っ掛けられて押圧されるため、第二レールは第三レールに同時に従動される。【選択図】図３
0003194393.tif 000002
【実用新案登録請求の範囲】
【請求項１】
第一レール、第二レール、作動部材、及び第三レールを備え、
前記第一レールは案内部を有し、
前記第二レールは縦方向に可動するように前記第一レールに連結されており、
前記作動部材は、前記第二レールに可動するように連結されており、接触部を有し、
前記第三レールは、前記第二レールに縦方向に可動するように連結されており、鈎部を有し、
前記第三レールが引き出され前記第一レールに対して移動する時、前記作動部材の前記接触部が前記第三レールの前記鈎部に引っ掛けられて押圧され、前記第二レールが前記第三レールによって同時に従動され、前記第二レールが前記第一レールに対して所定位置まで移動した時、前記作動部材が前記第一レールの前記案内部の案内により所定角度移動し、前記作動部材の前記接触部が前記第三レールの前記鈎部から離脱することを特徴とするスライドレールキット。
【請求項２】
前記第一レールの前記案内部は、水平部及び前記水平部から延長する上昇部を有し、
前記第二レールが前記第一レールに対して所定位置まで移動する時、前記作動部材は前記水平部から前記上昇部まで案内され角度が変化し、前記作動部材の前記接触部は前記第三レールの前記鈎部から離脱することを特徴とする請求項１に記載のスライドレールキット。
【請求項３】
前記案内部は前記上昇部と隣り合う係止壁をさらに有し、
前記作動部材は前記水平部から前記上昇部に案内された後、前記作動部材の前記接触部は前記係止壁に係止されることを特徴とする請求項２に記載のスライドレールキット。
【請求項４】
前記第二レールに連結される固定部材をさらに備え、
前記第二レールは凸出部を有し、
前記固定部材は接触段を有し、
前記接触段は前記第二レールの前記凸出部に対応しており、
前記作動部材は尾部をさらに有し、
前記尾部は前記固定部材の前記接触部と前記第二レールの前記凸出部と間に設けられていることを特徴とする請求項１に記載のスライドレールキット。
【請求項５】
前記第一レールに軸着されている横作動部材、及び補助部材をさらに備え、
前記横作動部材は足部を有し、
前記第二レールは前記足部に対応して押圧可能な凹部を有し、
前記補助部材は、前記横作動部材に接触可能な弾性案内部を有し、
前記第二レールが所定位置まで移動した時、前記弾性案内部によって生じる弾力によって、前記横作動部材の前記足部が前記第二レールの前記凹部への押圧を促し、前記第一レールに対応する前記第二レールの位置が定められることを特徴とする請求項１に記載のスライドレールキット。
【請求項６】
前記第二レールは、第一端部、前記固定部材、及び前記第二レールの前記第一端部と隣り合う位置に配置されている前記作動部材を有することを特徴とする請求項４に記載のスライドレールキット。
【請求項７】
前記第二レールは第二端部を有し、
前記第二レールの前記第二端部と隣り合う箇所に位置する嵌着部材をさらに備え、
前記嵌着部材が位置決め部を有し、
前記第三レールは、前記嵌着部材の前記位置決め部に対応する開口をさらに有し、
前記第二レールに対応する前記第三レールが所定位置まで移動する時、前記嵌着部材の前記位置決め部は、前記第三レールの前記開口に止められており、前記開口を押圧し位置が決められることを特徴とする請求項４に記載のスライドレールキット。
【請求項８】
前記嵌着部材は、基板と、前記基板から屈曲している弾性部とを有し、
前記位置決め部は前記弾性部に位置していることを特徴とする請求項７に記載のスライドレールキット。
【請求項９】
前記第二レールに連結されている少なくとも一つの位置決め部材、及び、前記第二レールに取り付けられている解除部材をさらに備え、
前記解除部材は、可動部及び嵌着解除部を有し、前記可動部及び前記嵌着解除部の一方に、少なくとも一つの縦方向溝部が設けられており、
前記縦方向溝部は前記位置決め部材に対応しており、
前記嵌着解除部は前記横作動部材の一部に対応しており、
前記横作動部材の前記足部が前記第二レールの前記凹部に挿入された後、前記解除部材は前記位置決め部材の移動に対応しており、
前記横作動部材は前記解除部材の前記嵌着解除部によって従動可能であり、
前記横作動部材の前記足部は前記第二レールの前記凹部から離脱可能であることを特徴とする請求項５に記載のスライドレールキット。
【請求項１０】
第一レール、第二レール、横作動部材、及び補助部材を備え、
前記第二レールは、縦方向に移動可能に前記第一レールに連結されており、凹部を有し、
前記横作動部材は、前記第一レールに軸着されており、前記第二レールの前記凹部に対応する足部を有し、
前記補助部材は、前記横作動部材に隣り合っており、前記横作動部材に接触る弾性案内部を有し、
前記第二レールが前記第一レールに対して所定位置まで移動した時、前記弾性案内部の弾力によって、前記横作動部材の前記足部が前記第二レールの前記凹部を押圧し、前記第一レールに対応する前記第二レールの位置が定められることを特徴とするスライドレールキット。
【請求項１１】
第一レール、第二レール、固定部材、作動部材、第三レール、及び横作動部材を備え、
前記第一レールは、上壁、下壁、及び、当該上壁と当該下壁と間に延長されている縦方向延長本体を有し、
前記第一レールの前記縦方向延長本体は案内部を有し、
前記案内部は、水平部、前記水平部から延長されている上昇部、及び前記上昇部と隣り合う係止壁を有し、
前記第二レールは、縦方向に移動可能に前記第一レールに連結されており、上壁、下壁、当該上壁と当該下壁と間に延長されている縦方向延長本体、及び、前記第二レールの前記縦方向延長本体に配置されている凸出部を有し、
前記第二レールの前記上壁及び前記下壁のいずれか一つは凹部を有し、
前記固定部材は、前記第二レールに連結されており、接触段を有し、
前記接触段は前記第二レールの前記凸出部に対応し、
前記作動部材は前記第二レールに連結されており、接触部及び尾部を有し、
前記尾部は、前記固定部材の前記接触段と前記第二レールの前記凸出部と間に設けられており、
前記第三レールは、前記第二レールに縦方向に移動可動に連結されており、
前記第三レールは、鈎部を有し、
前記鈎部は、前記作動部材の前記接触部に対応しており、前記第三レールの前記鈎部が対応する前記作動部材の前記接触部を引き掛けて押圧し、
前記第三レールが開く方向に引き出されると、前記第二レールが前記第三レールによって同時に従動し、対応する前記第一レールの前記案内部まで移動した時、前記作動部材の前記接触部が前記第一レールの前記案内部の前記水平部及び前記上昇部によって案内され、前記上昇部の案内により、前記作動部材の前記尾部が前記固定部材の前記接触段を押圧して片方に回転し、前記作動部材の前記接触部が前記第三レールの前記鈎部から離れて案内され、前記案内部の前記係止壁に係止され、
前記横作動部材は、前記第一レールの前記縦方向延長本体に移動可能に連結されており、
前記横作動部材は足部を有し、
前記足部は前記第二レールの前記凹部に対応しており、
前記第二レールは、前記第三レールによって同時に従動し、開く方向に向かって所定位置まで移動する時、前記横作動部材の前記足部が前記第二レールの前記凹部に挿入されることを特徴とするスライドレールキット。
【請求項１２】
前記第二レールは第一端部を有し、
前記固定部材及び前記作動部材は前記第二レールの前記第一端部に隣り合う箇所に配置されていることを特徴とする請求項１１に記載のスライドレールキット。
【請求項１３】
前記第二レールは第二端部を有し、
前記第二レールの前記第二端部と隣り合う箇所位置する嵌着部材をさらに備え、
前記嵌着部材は位置決め部を有し、
前記第三レールは、前記嵌着部材の前記位置決め部に対応する開口をさらに有し、前記第二レールに対応する前記第三レールが所定位置まで移動する時、前記嵌着部材の前記位置決め部は、前記第三レールの前記開口に止められており、前記開口を押圧して位置が定められることを特徴とする請求項１１に記載のスライドレールキット。
【請求項１４】
前記嵌着部材は、基板と、前記基板から屈曲している弾性部とを有し、
前記位置決め部は前記弾性部に位置していることを特徴とする請求項１３に記載のスライドレールキット。
【請求項１５】
前記第二レールに連結されている少なくとも一つの位置決め部材、及び、前記第二レールの前記縦方向延長本体に取り付けられており前記第二レールの前記凹部と隣り合う箇所に位置している解除部材をさらに備え、
前記解除部材は、可動部及び嵌着解除部を有し、前記可動部及び前記嵌着解除部の一方に、少なくとも一つの縦方向溝部が設けられており、
前記縦方向溝部は位置決め部材に対応しており、
前記嵌着解除部は前記横作動部材の一部に対応しており、
前記横作動部材の前記足部が前記第二レールの前記凹部に挿入された後、前記可動部が操作されると、前記嵌着解除部が連動されて移動し、前記横作動部材の当該部分が従動し、前記横作動部材の前記足部が前記第二レールの前記凹部から再び離脱する状態となることを特徴とする請求項１１に記載のスライドレールキット。
【請求項１６】
前記第三レールは、前記鈎部と隣り合う案内斜面をさらに有し、
前記第三レールが閉じる方向に閉じられる時、前記第三レールの前記案内斜面が前記作動部材の前記接触部を押圧することにより、前記作動部材の前記接触部は前記第三レールの前記鈎部に引っ掛けられて押圧される状態となることを特徴とする請求項１１に記載のスライドレールキット。
【請求項１７】
前記第二レールの前記凹部は斜面をさらに有しており、前記第三レールが閉じる方向に向かって移動する時、前記斜面が前記横作動部材の前記足部を押圧し、偏移した前記足部が前記第二レールの前記凹部を離れた状態となることを特徴とする請求項１６に記載のスライドレールキット。
【請求項１８】
前記第三レールに連結されている操作部材をさらに備え、
前記操作部材は、前記第三レールが操作されて開く方向に向かって引き出されるのを助け、
前記第一レールの前記縦方向延長本体は固定部をさらに有し、
前記操作部材は、前記第三レールに連結される基板部、前記基板部から屈曲され弾力を提供する弾性板、及び前記弾性板に連結されている引張部を有し、
前記弾性板は、前記第一レールの前記固定部に対応する嵌着部を有し、
前記第一レールに対応する前記第三レールが閉じられている時、前記弾性板の弾力によって、前記弾性板の前記嵌着部は前記固定部に嵌着することを特徴とする請求項１１に記載のスライドレールキット。
【考案の詳細な説明】
【技術分野】
【０００１】
本考案は、スライドレールキットに関する。
【背景技術】
【０００２】
一般に、サーバーシステム中のシャーシは、一対のスライドレールキットによってラック（ｒａｃｋ）に取り付けられている。スライドレールキットは通常、二段式或いは三段式のスライドレールによって構成される型態で、シャーシを載せるのに用いられる。二者の差異は、三段式のスライドレールのストロークがさらに延長されるため、実際の特定されるニーズに応えることができる。
【０００３】
現在、三段式のスライドレールの関連技術において、スライドレールとスライドレール間の嵌着方法、並びに、スライドレールとスライドレール間を開く方向に移動させる際にいかに同時に従動させるかについては、非常によく見られる研究開発技術である。これは、当該関連技術が、操作及び市場で特に要求されていることを意味する。例えば、特許文献１及び特許文献２の関連特許である。この二件の特許に開示される主な技術特徴の一つが嵌着体と嵌着孔、或いは嵌着体と嵌着溝部間をいかに嵌着するかに関するもので、これによって、スライドレールとスライドレール間の位置を確実に定めさせると共に、同時にスライドできるようにする。
【先行技術文献】
【特許文献】
【０００４】
【特許文献１】米国特許第７、４１３、２６９Ｂ２号明細書
【特許文献２】米国特許第６、９９７、５２９Ｂ１号明細書
【考案の概要】
【考案が解決しようとする課題】
【０００５】
本考案は、二つのスライドレールを同時に移動させ、いずれか一つのスライドレールが一位置に同時に従動された時、そのスライドレールは一時的にその位置に止まるスライドレールキットを提供する。
【課題を解決するための手段】
【０００６】
本考案によるスライドレールキットは、第一レール、第二レール、作動部材、及び第三レールを含む。第一レールは案内部を有し、第二レールは縦方向に可動するように第一レールに連結される。作動部材は第二レールに可動するように連結し、接触部を有する。第三レールは第二レールに縦方向に可動するように連結され、第三レールは鈎部を有する。第三レールが第二レールに対して引き出される時、作動部材の接触部は第三レールの鈎部に引っ掛けられて押圧される。これにより、第二レールは第三レールによって同時に従動され、第二レールが第一レールに対して所定位置まで引き出された時、作動部材は第一レールの案内部による案内を受けて所定角度に移動し、作動部材の接触部は第三レールの鈎部から離脱する。
【０００７】
第一レールの案内部は水平部及び水平部から延長される上昇部を有し、第二レールが第一レールに対して所定位置まで引き出される時、作動部材は、水平部から上昇部まで案内され、その角度が動かされ、作動部材の接触部は第三レールの鈎部から離脱する。案内部は上昇部と隣り合う係止壁をさらに有し、作動部材は水平部から上昇部に案内された後、作動部材の接触部は係止壁に係止される。第二レールは凸出部を有し、スライドレールキットは、第二レールに連結される固定部材をさらに有し、固定部材は接触段を有し、接触段は第二レールの凸出部に対応する。作動部材は尾部をさらに有し、尾部は固定部材の接触段と第二レールの凸出部間に設けられる。スライドレールキットは、第一レールに軸着する横作動部材、及び補助部材をさらに含む。横作動部材は足部を有し、第二レールは足部に対応して押圧する凹部を有する。補助部材は、弾性案内部を横作動部材に接触させるもので、第二レールが所定位置まで移動した時、弾性案内部によって生じる弾力によって、横作動部材の足部が第二レールの凹部を押圧するのを促し、第一レールに対応する第二レールの位置が定められる。
【０００８】
第二レールは、第一端部、及び第一端部に対応する第二端部を有する。固定部材及び作動部材は第二レールの第一端部と隣り合う箇所に配置される。スライドレールキットは、第二レールの第二端部に隣り合う箇所にある嵌着部材をさらに含み、嵌着部材は位置決め部を含み、第三レールは、嵌着部材の位置決め部に対応する開口をさらに含み、これによって、第二レールに対応する第三レールが一位置まで移動する時、嵌着部材の位置決め部は第三レールの開口に止められて、それを押圧して定位される。嵌着部材は基板と、基板から屈曲している弾性部を有し、位置決め部は弾性部に位置される。スライドレールキットは、第二レールに連結される少なくとも一つの位置決め部材、及び第二レールに取り付けられる解除部材をさらに有する。解除部材は可動部及び嵌着解除部を有し、可動部及び嵌着解除部の一つは、少なくとも一つの縦方向溝部を有する。縦方向溝部は、位置決め部材に対応させ、嵌着解除部は横作動部材の一部分に対応させる。横作動部材の足部が第二レールの凹部に挿入された後、解除部材は位置決め部材の移動に対することにより、横作動部材は解除部材の嵌着解除部によって従動されて移動し、横作動部材の足部は第二レールの凹部から離脱される。
【０００９】
本考案によるスライドレールキットは、第一レール、第二レール、及び補助部材を含む。第二レールは縦方向に可動するように第一レールに連結され、第二レールは凹部を有する。横作動部材は第一レールに軸着し、第二レールの凹部に対応する足部を有する。補助部材は横作動部材に隣り合わせ、横作動部材に接触させる弾性案内部を有する。第二レールが第一レールに対して所定位置まで移動した時、弾性案内部によって生じる弾力によって、横作動部材の足部が第二レールの凹部を押圧し、第一レールに対応する第二レールは位置を定める。
【００１０】
本考案によるスライドレールキットは、第一レール、第二レール、固定部材、作動部材、第三レール、及び横作動部材を含む。第一レールは、上壁、下壁、及び第一レールの上壁と第一レールの下壁間に延長される縦方向延長本体を有する。第一レールの縦方向延長本体は案内部を有し、案内部は水平部、水平部から延長される上昇部、及び上昇部と隣り合う係止壁を有する。第二レールは縦方向に可動するように第一レールに連結され、第二レールは、上壁、下壁、第二レールの上壁と第二レールの下壁間に延長される縦方向延長本体、及び第二レールの縦方向延長本体に配置される凸出部を有する。第二レールの上壁及び下壁のいずれか一つは凹部を有する。固定部材は第二レールに連結され、接触段を有する。接触段は第二レールの凸出部に対応する。作動部材は第二レールに連結され、接触部及び尾部を有する。尾部は、固定部材の接触段と第二レールの凸出部間に設けられる。第三レールは第二レールに縦方向に可動するように連結され、第三レールは鈎部を有する。鈎部は作動部材の接触部に対応され、第三レールの鈎部が対応する作動部材の接触部を引き掛けて押圧する。第三レールが開く方向に引き出されると、第二レールは第三レールによって同時に従動され、対応する第一レールの案内部箇所まで移動した時、作動部材の接触部は第一レールの案内部の水平部及び上昇部によって案内される。上昇部の案内を受けて、作動部材は、尾部が固定部材の接触段を押圧して片方に回転するために、作動部材の接触部は、第三レールの鈎部から離れて案内され、案内部の係止壁に係止される。横作動部材は、第一レールの縦方向延長本体に可動するように連結される。横作動部材は足部を有し、足部は第二レールの凹部に対応する。第二レールは、第三レールによって同時に従動されて、開く方向に向かって一位置に移動する時、横作動部材の足部は第二レールの凹部に挿入される。
【００１１】
第二レールは、第一端部、及び第一端部に対応する第二端部を有する。固定部材及び作動部材は第二レールの第一端部と隣り合う箇所に配置される。スライドレールキットは、第二レールの第二端部に隣り合う箇所にある嵌着部材をさらに含み、嵌着部材は位置決め部を含み、第三レールは、嵌着部材の位置決め部に対応する開口をさらに含み、これによって、第二レールに対応する第三レールが一位置まで移動する時、嵌着部材の位置決め部は第三レールの開口に止められて、それを押圧して定位される。嵌着部材は基板と、基板から屈曲している弾性部を有し、位置決め部は弾性部に位置される。
【００１２】
スライドレールキットは、第二レールに連結される少なくとも一つの位置決め部材、及び第二レールの縦方向延長本体に取り付けられ、第二レールの凹部と隣り合う箇所にある解除部材をさらに有する。解除部材は可動部及び嵌着解除部を有し、可動部及び嵌着解除部の一つは、少なくとも一つの縦方向溝部を有する。縦方向溝部は、位置決め部材に対応させ、嵌着解除部は横作動部材の一部分に対応させる。横作動部材の足部が第二レールの凹部に挿入された後、可動部が操作されると、嵌着解除部は連動されて移動し、横作動部材の当該部分を従動するため、横作動部材の足部は第二レールの凹部から再び離脱された状態となる。
【００１３】
第三レールは、鈎部と隣り合う案内斜面をさらに有し、第三レールが閉じる方向に閉じられる時、第三レールの案内斜面が作動部材の接触部を押圧することにより、作動部材の接触部は第三レールの鈎部に引っ掛けられて押圧される。第二レールの凹部は斜面をさらに有しており、第三レールを閉じる方向に向かって閉じる時、斜面が横作動部材の足部を押圧するため、偏移された足部は第二レールの凹部を離れる。
【００１４】
スライドレールキットは、第三レールに連結される操作部材をさらに有する。操作部材は、第三レールが操作されて開く方向に向かって引き出されるのを助ける。第一レールの縦方向延長本体は固定部をさらに有し、操作部材は、第三レールに連結される基板部、基板部から屈曲され、弾力を提供する弾性板、及び弾性板に連結される引張部を有する。弾性板は、第一レールの固定部に対応させる嵌着部を有し、第一レールに対応する第三レールを閉じる状態にする時、弾性板は弾力を提供し、弾性板の嵌着部は固定部に嵌着することができる。
【００１５】
本考案の実施形態の特徴の一つは、第三レールを開く方向に開いた時、第三レールは第二レールを同時に従動して、開く方向に移動させる。一位置に移動させると、第二レールは一時的にその位置で停止し、第三レールと同時に移動しない状態となる。
【図面の簡単な説明】
【００１６】
【図１】本考案の一実施形態によるスライドレールキットの斜視図である。
【図２】図１の第二レール及び第三レールを組み合わせて、第二レールに対応する第三レールを一定距離まで引き出したことを示す図である。
【図３】本考案の一実施形態によるスライドレールキットの第一レールに組み合わせる第二レール及び第三レールの分解斜視図である。
【図４】本考案の一実施形態によるスライドレールキットの第二レール及び第三レールの分解斜視図である。
【図５】図４のスライドレールキットの第二レールの要部拡大図であり、固定部材、凸出部、及び作動部材の配置関係を示した図である。
【図６】図４のスライドレールキットの第二レールの要部拡大図であり、第二レールに取り付けられ、凹部と隣り合う箇所に配置された解除部材を示した図である。
【図７】図４のスライドレールキットの第二レールの要部拡大図であり、第二レールの第二端部と隣り合う箇所に取り付けられた嵌着部材を示した図である。
【図８】図４のスライドレールキットの第三レールの要部拡大図であり、鈎部及び案内斜面を示した図である。
【図９Ａ】本考案の一実施形態によるスライドレールキットの第三レールであり、鈎部によって作動部材の接触部が引っ掛けられて押圧されている状態を示す模式図である。
【図９Ｂ】本考案の一実施形態によるスライドレールキットの第三レールであり、鈎部が作動部材の接触部に嵌着され、第二レールが第三レールによって同時に従動される状態を示す模式図である。
【図９Ｃ】本考案の一実施形態によるスライドレールキットの第二レールが一位置まで従動された時、作動部材の接触部は第一レールの案内部によって案内されて第三レールの鈎部を離れた状態を示した模式図である。
【図９Ｄ】本考案の一実施形態によるスライドレールキットの第二レールが所定位置まで従動された時、作動部材の接触部が第一レールの案内部の係止壁によって係止された状態を示す模式図である。
【図１０】本考案の一実施形態によるスライドレールキットの第三レールが開く方向に移動した状態を示す模式図である。
【図１１】本考案の一実施形態によるスライドレールキットの第三レールが開く方向に移動し、第三レールの開口が嵌着部材に対応した状態を示す模式図である。
【図１２】図１０の１２−１２線の断面図である。
【図１３】図１１の１３−１３線の断面図である。
【図１４】本考案の一実施形態によるスライドレールキットの第三レールを開く位置にした状態を示す模式図である。
【図１５】本考案の一実施形態によるスライドレールキットの第三レールを取り外した状態を示す模式図である。
【図１６】図１４の１６−１６線の断面図であり、嵌着部材の弾性部に力を加えたことを示す模式図である。
【図１７Ａ】本考案の一実施形態によるスライドレールキットの第二レールを開く位置にした状態を示す模式図である。
【図１７Ｂ】本考案の一実施形態によるスライドレールキットの解除部材が動かされ、横作動部材の足部が第二レールの凹部を再び離れた状態を示す模式図である。
【図１７Ｃ】本考案の一実施形態によるスライドレールキットの第二レールが第一レールから取り外された状態を示す模式図である。
【図１７Ｄ】本考案の一実施形態によるスライドレールキットの第二レールが第一レールから取り外され、可撓部が解除部材を従動して再び初期状態に戻ったことを示す模式図である。
【図１８Ａ】本考案の一実施形態によるスライドレールキットの第三レールが閉じる方向に向かって移動し、第三レールの案内斜面が作動部材の接触部を押圧している状態を示す模式図である。
【図１８Ｂ】本考案の一実施形態によるスライドレールキットの第三レールの案内斜面が作動部材の接触部を押圧し、作動部材の接触部が第一レールの案内部の係止壁を離れた状態を示す模式図である。
【図１８Ｃ】本考案の一実施形態によるスライドレールキットの第三レールが閉じる方向に移動され、横作動部材の足部が斜面によって従動されて第二レールの凹部を離れた状態を示す模式図である。
【考案を実施するための形態】
【００１７】
（一実施形態）
図１は本考案の実施形態による、第一レール２２、第二レール２４、及び第三レール２６を閉じた状態のスライドレールキット２０である。第二レール２４及び第三レール２６は第一レール２２に対して縦方向に移動する。第二レール２４及び第三レール２６は、少なくとも一つの取付部２８をそれぞれ有し、シャーシ（例えばサーバーのシャーシ）に取り付ける。操作部材３０は第三レール２６に連結する。操作部材３０を用いることにより、操作者は第三レール２６を開く方向に引き出し移動させることができる。
【００１８】
図１及び図２に示すように、図２は、第一縦方向部３２、第二縦方向部３４、及び第一縦方向部３２と第二縦方向部３４間に連結させた傾斜部３６を有する第三レール２６を示す。第三レール２６の第一縦方向部３２は第二レール２４、コを可動するように連結される。第三レール２６の第二縦方向部３４は傾斜部３６に連結し、傾斜部３６によって第二レール２４の外側に位置される。
【００１９】
図２に示すように、第二レール２４は縦方向延長本体５６を有し、縦方向延長本体５６は側面２５を有し、第三レール２６の第二縦方向部３４は側面３５を有する。傾斜部３６によって、第三レール２６の第二縦方向部３４の側面３５と第二レール２４の縦方向延長本体５６の側面２５はほぼ同様の参考平面Ｘ（参考平面Ｘは仮想の平面であり、本考案の実施形態を制限するものではない）に位置される。これにより、第二レール２４と第三レール２６は、シャーシに別々に取り付けることができ、二つのシャーシはほぼ同様のシャーシ幅を有する。また、第三レール２６の傾斜部３６と第二レール２４は相互に押圧する型態を形成する（図１参照）。
【００２０】
図３は第一レール２２、相互に組み合わせる第二レール２４、及び第三レール２６を分離した状態を示す。
【００２１】
第一レール２２は上壁３８、下壁４０、及び上壁３８と下壁４０間に延長される縦方向延長本体４２を有する。第一縦方向通路２３は、第一レール２２の上壁３８、下壁４０、及び縦方向延長本体４２によって形成され、第一レール２２の縦方向延長本体４２は案内部７８を有する。案内部７８は第一レール２２の縦方向延長本体４２に一体成形されるが、これに限定されないものとする。案内部７８は水平部８０、水平部８０から延長される上昇部８２、及び上昇部８２と隣り合う係止壁８４を有する。第一レール２２の縦方向延長本体４２は少なくとも一つの固定部４３を有する。本実施形態では、第一レール２２の縦方向延長本体４２は二つの固定部４３を有し、それぞれの固定部４３はであるが、これに限定されないものとする。
【００２２】
スライドレールキットは横作動部材８６と補助部材８８をさらに有する。横作動部材８６は第一レール２２の縦方向延長本体４２に可動するように連結する。横作動部材８６は、第一連結部材９０によって第一レール２２の縦方向延長本体４２に軸着される。横作動部材８６は足部９２と延伸側部９４を有する。補助部材８８は第一レール２２の縦方向延長本体４２に連結し、横作動部材８６に隣り合わせる。補助部材８８は縦方向に延長される弾性案内部９６を有し、補助部材８８の弾性案内部９６は横作動部材８６の足部９２に接触する。
【００２３】
図３及び図４を参照されたい。図４は、第二レール２４及び第三レール２６の分解状態を示す図である。
【００２４】
第二レール２４は、対応する第一レール２２に縦方向に連結し、第一レール２２の第一縦方向通路２３内で移動させる。第二レール２４は上壁５２、下壁５４、及び該上壁５２と下壁５４間に延長される縦方向延長本体５６を有する。第二縦方向通路２９は、第二レール２４の上壁５２、下壁５４、及び縦方向延長本体５６によって形成される。第二レール２４の縦方向延長本体５６は第一端部２７ａ、及び第一端部２７ａに対応する第二端部２７ｂを有する。第二レール２４は縦方向延長本体５６に位置される凸出部１０４を含む。スライドレールキットは、固定部材９８、及び第二レール２４に連結される作動部材１００をさらに含む。本実施形態において、固定部材９８及び作動部材１００は第二レール２４の第一端部２７ａに隣り合わせて配置される。
【００２５】
図５に示すように、固定部材９８は接触段１０２を有する。第二レール２４の凸出部１０４の位置は接触段１０２に対応させる。作動部材１００は第二レール２４の縦方向延長本体５６に可動するように連結させる。作動部材１００は、第二連結部材１０６により第二レール２４の縦方向延長本体５６に軸着され、作動部材１００は本体１０８、接触部１１０、及び尾部１１２を有する。
【００２６】
接触部１１０は、本実施形態では、本体１０８から≡方向に延長される突出物であり、第一レール２２の縦方向延長本体４２の案内部７８によって案内されるが、接触部１１０の形態はこれに制限されないものとする。尾部１１２は本体１０８から縦方向に延長されるが、これに制限されないものとする。作動部材１００の尾部１１２は固定部材９８の接触段１０２と第二レール２４の凸出部１０４間に位置される。第二レール２４の上壁５２及び下壁５４のいずれか一つは凹部１１４を有し、凹部１１４は斜面１１６を有する。
【００２７】
図４と図６に示されるように、スライドレールキットは、第二レール２４に連結される少なくとも一つの位置決め部材１１８、及び第二レール２４の縦方向延長本体５６に取り付けられる解除部材１２０を含む。解除部材１２０は第二レール２４の凹部１１４と隣り合う箇所に配置する。
【００２８】
解除部材１２０は、可動部１２２、及び可動部１２２に連結される嵌着解除部１２４を有する。可動部１２２と嵌着解除部１２４のいずれか一つは、位置決め部材１１８に対応する少なくとも一つの縦方向溝部１２６を有する。操作部１２８は可動部１２２及び嵌着解除部１２４のいずれか一つに連結され、可撓部１３０は、可動部１２２及び嵌着解除部１２４のいずれか一つに連結される。実施形態において、可動部１２２は少なくとも一つの縦方向溝部１２６を有する。操作部１２８は可動部１２２に連結される。可撓部１３０は可動部１２２に横向きに連結されるが、これに限定されないものとする。位置決め部材１１８と縦方向溝部１２６の構造配置の働きにより、操作者が操作部１２８を移動する時、可動部１２２を縦方向に移動することができる。好ましくは、位置決め部材１１８は縦方向溝部１２６中に設置する。これにより、位置決め部材１１８は縦方向溝部１２６の何れか一端を押圧する時（図６参照）、可動部１２２は制止されて縦方向移動を停止する。
【００２９】
嵌着解除部１２４は少なくとも一つの傾斜板１３２、及び傾斜板１３２に連結される平板１３４を有する。本実施形態において、二つの傾斜板１３２を例にとると、平板１３４は二つの傾斜板１３２の間に連結され、いずれか一つの傾斜板１３２は可動部１２２に連結され、可動部１２２から所定角度に屈曲する形態であるが、これに限定されないものとする。平板１３４は、嵌着解除エッジ１３６を有し、第二レール２４の縦方向延長本体５６には係止体１３８をさらに有する。また、可撓部１３０の一部分は係止体１３８を押圧する。
【００３０】
図４及び図７に示すように、スライドレールキットは、第二レール２４の第二端部２７ｂと隣り合う箇所に位置させる嵌着部材１４０を有する。嵌着部材１４０は少なくとも一つの位置決め部１４２を有する。本実施形態では、二つの位置決め部１４２を有し、各位置決め部１４２には凸出部を有する。或いは、位置決め部１４２はその他の類似する突出物でもいいが、これに限定されないものとする。実施形態において、嵌着部材１４０は基板１４４及び弾性部１４６を有する。弾性部１４６は、基板１４４から屈曲する形態であり、弾力を備える。基板１４４は少なくとも一つの連結部材１４７を用いて第二レール２４に取り付けられる。連結部材１４７は第二レール２４に一体成形するか、独立する構成要素として第二レール２４に取り付けてもよいが、これに限定されないものとする。位置決め部１４２は弾性部１４６上と隣り合う箇所に位置される。
【００３１】
図４及び図８に示すとおり、第三レール２６は、対応する第二レール２４に縦方向に動くように連結され、第三レール２６は第二レール２４の第二縦方向通路２９内を移動する。第三レール２６は、上壁７０、下壁７２、上壁７０と下壁７２間に延長される第一縦方向部３２、第二縦方向部３４、及び第一縦方向部３２と第二縦方向部３４間に連結される傾斜部３６を有する。
【００３２】
第三レール２６の第一縦方向部３２は鈎部１４８を有する。実施形態において、第三レール２６は、鈎部１４８と隣り合う案内斜面１５０をさらに有し、鈎部１４８は、作動部材１００の接触部１１０に引き掛かり、それを押圧する。第三レール２６は開口１５２を有する。開口１５２は第三レール２６の第一縦方向部３２に設けられるが、この位置に限定されないものとする。
【００３３】
図３及び図４に示すように、操作部材３０は第三レール２６に連結される。実施形態において、操作部材３０は、第三レール２６の第二縦方向部３４に連結される基板部３１、基板部３１から屈曲し、弾力を備える弾性板３３、及び弾性板３３に連結される引張部３７を有する。弾性板３３は、第一レール２２の固定部４３に対応する嵌着部３９を有し、本実施形態において、嵌着部３９は凸起である。しかしながら、未図示の実施形態において、第一レール２２の固定部４３を凸起とし、嵌着部３９を穴としてもよいが、これに限定されないものとする。これにより、操作部材３０は、第一レール２２に対応する第三レール２６において閉じた状態となる時（図１参照）、弾性板３３の弾力によって、弾性板３３の嵌着部３９は、第一レール２２の固定部４３に嵌着される。または、操作者が第三レール２６を開く方向に引き出す前に、弾性板３３の弾力によって弾性板３３を若干屈曲させると、弾性板３３の嵌着部３９が第一レール２２の固定部４３から離脱するため、操作者は操作部材３０の引張部３７を用いて、第三レール２６を開く方向に引き出す動作をスムーズに行なえる。
【００３４】
図９〜図１３は、スライドレールキットの操作時の模式図である。
【００３５】
図９Ａ〜図９Ｄに示すように、操作者は、操作部材３０の引張部３７を用いて、第一レール２２に対応させる第三レール２６を開く方向Ｄ１に引き出す時、第三レール２６の鈎部１４８は、対応する作動部材１００の接触部１１０に引き掛かり、それを押圧し（図９Ａ、図９Ｂ参照）、第二レール２４は第三レール２６に従って移動し、第二レール２４が第一レール２２に対して所定位置まで引き出された時、作動部材１００の接触部１１０は、対応する第一レール２２の案内部７８によって案内され、第三レール２６の鈎部１４８が離脱する（図９Ｃ、図９Ｄ参照）。詳細すると、まず、作動部材１００の接触部１１０は、第一レール２２の案内部７８の水平部８０によって案内され、さらに、上昇部８２に沿って上方向に移動する。作動部材１００の接触部１１０が上昇部８２に沿って上方向に移動する時、作動部材１００の尾部１１２が固定部材９８の接触段１０２を押圧して所定角度に回転する（図９Ｂ参照）。その後、作動部材１００の接触部１１０は引き続き、上昇部８２に沿って上昇部８２の末端エッジまで移動し、これにより、第三レール２６の鈎部１４８が離脱する（図９Ｃ参照）。作動部材１００の尾部１１２と固定部材９８の接触段１０２の少なくとも一つは可撓性材質であるため、作動部材１００の接触部１１０は片方に回転し、これにより、作動部材１００の接触部１１０は、第三レール２６の鈎部１４８からスムーズに離脱する。
【００３６】
よって、引き続き、第三レール２６を開く方向Ｄ１に沿って引き出して移動する時、作動部材１００の接触部１１０は第三レール２６から完全に離脱し、案内部７８の係止壁８４によって係止される（図９Ｄ参照）。
【００３７】
また、図９Ｂ及び図９Ｃに示すとおり、補助部材８８の弾性案内部９６が生じさせる弾力により案内されて、横作動部材８６の足部９２は、対応する第二レール２４の凹部１１４に挿入される。即ち、第二レール２４の凹部１１４は、対応する横作動部材８６の足部９２によって押圧される。この状態に下で、第一レール２２に対応する第二レール２４の位置が決められる。
【００３８】
図９Ｄに示すとおり、作動部材１００の接触部１１０は、第一レール２２の案内部７８の係止壁８４に係止され、横作動部材８６の足部９２が第二レール２４の凹部１１４に挿入される時、第二レール２４は、第三レール２６と同時に移動せず、第三レール２６は開く方向Ｄ１に向かって移動を続ける。
【００３９】
図１０〜図１３に示すとおり、第三レール２６が開く方向Ｄ１に向かって移動を続ける過程において、嵌着部材１４０の弾性部１４６は弾力的に屈曲する能力を備えるため、第三レール２６が一位置まで移動していない時、弾性部１４６は、第二レール２４と第三レール２６間で圧せられて弾力を蓄える状態となる（図１０及び図１２参照）。第三レール２６が当該位置まで移動し続けて初めて、弾性部１４６は弾力を放出し、嵌着部材１４０の位置決め部１４２は、第三レール２６の第一縦方向部３２の開口１５２に入り、対応する開口１５２の開口壁面１５３に止まり、それを押圧する。この時、第三レール２６は、開く位置にある（図１１及び図１３参照）。
【００４０】
図１４〜図１６に示すとおり、第三レール２６は、開く位置にあり、操作者が第三レール２６を第二レール２４から取り外す時、操作者によって第三レール２６の開口１５２から嵌着部材１４０の弾性部１４６に力Ｆ１が加えられると（図１６参照）、弾性部１４６の位置決め部１４２は開口１５２を離れて、開口壁面１５３に対応しない状態になる。この状態の下、第三レール２６を取り外し方向Ｄ２に引き抜くことができるため（図１５参照）、第三レール２６を第二レール２４から取り外すことができる。
【００４１】
図１７Ａ〜図１７Ｄに示すように、第三レール２６が取り外された後、操作者は、さらに、第二レール２４を第一レール２２から取り外すことができる。操作者が力Ｆ２を加えて（図１７Ｂ参照）解除部材１２０の操作部１２８を動かすと、解除部材１２０の可動部１２２は縦方向溝部１２６に対応する位置決め部材１１８を移動させる。これにより、解除部材１２０の嵌着解除部１２４は連動され、嵌着解除エッジ１３６は対応する横作動部材８６の一部分を従動し（例えば延伸側部９４）（この時、可撓部１３０は係止体１３８の作用力を受けて屈曲状態となる）、従動される横作動部材８６の足部９２は移動して、再び第二レール２４の凹部１１４を離脱する状態となる。この状態において、操作者は、第二レール２４を取り外し方向Ｄ３に引き出し、第二レール２４を第一レール２２から取り外すことができる（図１７Ｃ参照）。また、操作者が力Ｆ２を加えて操作部１２８を動かすのを停止すると、可撓部１３０は解除部材１２０を従動して、再び初期状態に戻る（図１７Ｄ参照）。
【００４２】
図１４〜図１７に示すように、スライドレールキットの第三レール２６及び第二レール２４は取り外すことができる。これにより、操作者がシャーシの交換（例えばサーバーのシャーシ）或いはスライドレールキットの交換、メンテナンス等の作業を行う際の利便性に優れる。
【００４３】
図１８Ａ〜図１８Ｃに示すように、スライドレールキットを開く位置から（図１１参照）閉じる方向Ｄ４に移動させて閉じる際は、操作者は同様に嵌着部材１４０の弾性部１４６を押圧して（図１６参照）、第三レール２６を閉じる方向Ｄ４に移動し、第三レール２６の傾斜部３６が第二レール２４を押圧することで、第三レール２６及び第二レール２４は第一レール２２に対して閉じた状態となる。第二レール２４を一位置まで移動する時、第三レール２６の鈎部１４８の案内斜面１５０は、対応する作動部材１００の接触部１１０を押圧することで、作動部材１００の接触部１１０は、案内斜面１５０によって支えられ、第一レール２２の案内部７８の係止壁８４を離れ、案内部７８の上昇部８２の末端エッジに戻る（図１８Ｂ）。第二レール２４の斜面１１６は、横作動部材８６の足部９２を押圧することで、足部９２を偏移させ凹部１１４を離れさせる（図１８Ｃ）。これにより、作動部材１００の接触部１１０には、再び第三レール２６の鈎部１４８が引き掛かり、それが圧せられて、第三レール２６、第二レール２４、及び第一レール２２は閉じた状態となる（この部分は同時に図９Ａを参照のこと）。
【００４４】
本考案は前述の実施形態によって開示した通りであるが、実施形態は本考案を限定するためのものではない。よって、本考案が保護される範囲は、実用新案登録請求の範囲を基準とする。
【符号の説明】
【００４５】
２０  スライドレールキット、
２２  第一レール、
２３  第一縦方向通路、
２４  第二レール、
２５、３５  側面、
２７ａ  第一端部、
２７ｂ  第二端部、
２６  第三レール、
２８  取付部、
２９  第二縦方向通路、
３０  操作部材、
３１  基板部、
３２  第一縦方向部、
３３  弾性板、
３４  第二縦方向部、
３６  傾斜部、
３７  引張部、
３８、５２、７０  上壁、
３９  嵌着部、
４０、５４、７２  下壁、
４２、５６  縦方向延長本体、
４３  固定部、
７８  案内部、
８０  水平部、
８２  上昇部、
８４  係止壁、
８６  横作動部材、
８８  補助部材、
９０  第一連結部材、
９２  足部、
９４  延伸側部、
９６  弾性案内部、
９８  固定部材、
１００  作動部材、
１０２  接触段、
１０４  凸出部、
１０６  第二連結部材、
１０８  本体、
１１０  接触部、
１１２  尾部、
１１４  凹部、
１１６  斜面、
１１８  位置決め部材、
１２０  解除部材、
１２２  可動部、
１２４  嵌着解除部、
１２６  縦方向溝部、
１２８  操作部、
１３０  可撓部、
１３２  傾斜板、
１３４  平板、
１３６  嵌着解除エッジ、
１３８  係止体、
１４０  嵌着部材、
１４２  位置決め部、
１４４  基板、
１４６  弾性部、
１４７  連結部材、
１４８  鈎部、
１５０  案内斜面、
１５２  開口、
１５３  開口壁面、
Ｄ１  開く方向、
Ｄ２、Ｄ３  取り外し方向、
Ｄ４  閉じる方向、
Ｆ１、Ｆ２  力、
Ｘ  参考平面。
【図１】
0003194393.tif 000003
【図２】
0003194393.tif 000004
【図３】
0003194393.tif 000005
【図４】
0003194393.tif 000006
【図５】
0003194393.tif 000007
【図６】
0003194393.tif 000008
【図７】
0003194393.tif 000009
【図８】
0003194393.tif 000010
【図９Ａ】
0003194393.tif 000011
【図９Ｂ】
0003194393.tif 000012
【図９Ｃ】
0003194393.tif 000013
【図９Ｄ】
0003194393.tif 000014
【図１０】
0003194393.tif 000015
【図１１】
0003194393.tif 000016
【図１２】
0003194393.tif 000017
【図１３】
0003194393.tif 000018
【図１４】
0003194393.tif 000019
【図１５】
0003194393.tif 000020
【図１６】
0003194393.tif 000021
【図１７Ａ】
0003194393.tif 000022
【図１７Ｂ】
0003194393.tif 000023
【図１７Ｃ】
0003194393.tif 000024
【図１７Ｄ】
0003194393.tif 000025
【図１８Ａ】
0003194393.tif 000026
【図１８Ｂ】
0003194393.tif 000027
【図１８Ｃ】
0003194393.tif 000028